(57)【要約】【課題】誤検出の有無を容易に判別することができる測定システムに用いられる表示装置、表示方法並びに表示プログラムを提供することを目的とする。【解決手段】実際の撮像によって得られたスキャナ画像を表示し、当該スキャナ画像に対してアルゴリズムで抽出された抽出結果とした流路領域７１を囲み領域および塗りつぶし領域により当該スキャナ画像に付加して表示することで、抽出結果とした流路領域７１が、実際の撮像によって得られたスキャナ画像の各領域に埃やゴミや傷等の理由により一致せずに誤検出されたとしても、少なくとも誤検出が有ったことを囲み領域および塗りつぶし領域により容易に判別することができる。また、流路領域７１が、実際の撮像によって得られたスキャナ画像の各領域に一致する場合には、誤検出が無かったことを囲み領域および塗りつぶし領域により容易に判別することができる。【選択図】図８
2013124983.tif 000002
【特許請求の範囲】
【請求項１】
測定対象の液体中に含まれている発光あるいは蛍光物質から発生した光あるいは測定対象の液体中に含まれている放射線を測定する測定システムに用いられる表示装置であって、
前記測定対象に対する撮像によって得られた画像を表示し、当該画像に対してアルゴリズムで抽出された抽出結果として、前記測定対象の液体を収容するために設けられた容器の流路に関する流路領域を当該画像に付加して表示し、前記流路領域を、前記画像上の流路を囲む囲み領域および前記画像上の流路を色で塗りつぶす塗りつぶし領域により形成して、前記囲み領域により前記流路を囲い表示するとともに、前記塗りつぶし領域により前記流路を塗りつぶし表示する抽出結果表示手段
を備えることを特徴とする表示装置。
【請求項２】
請求項１に記載の表示装置において、
前記画像、前記抽出結果とした前記流路領域のいずれか少なくとも一方を表示画面上で移動させて調整、あるいは前記抽出結果とした前記流路領域の大きさを表示画面上で調整する画像・抽出結果調整手段を備えることを特徴とする表示装置。
【請求項３】
請求項１または請求項２に記載の表示装置において、
前記抽出結果表示手段は、前記画像上で、前記測定対象の液体を遠心分離させて得られた各成分に対して、前記抽出結果として成分領域を付加して表示することを特徴とする表示装置。
【請求項４】
請求項３に記載の表示装置において、
前記成分領域は、前記画像上の各成分を囲む囲み領域であって、
前記抽出結果表示手段は、当該囲み領域により前記各成分を別々に囲い表示することを特徴とする表示装置。
【請求項５】
請求項３または請求項４に記載の表示装置において、
前記成分領域は、前記画像上の各成分を色で塗りつぶす塗りつぶし領域であって、
前記抽出結果表示手段は、当該塗りつぶし領域により前記各成分を別々に塗りつぶし表示することを特徴とする表示装置。
【請求項６】
測定対象の液体中に含まれている発光あるいは蛍光物質から発生した光あるいは測定対象の液体中に含まれている放射線を測定して得られた測定データを表示する表示方法であって、
前記測定対象に対する撮像によって得られた画像を表示し、当該画像に対してアルゴリズムで抽出された抽出結果として、前記測定対象の液体を収容するために設けられた容器の流路に関する流路領域を当該画像に付加して表示し、前記流路領域を、前記画像上の流路を囲む囲み領域および前記画像上の流路を色で塗りつぶす塗りつぶし領域により形成して、前記囲み領域により前記流路を囲い表示するとともに、前記塗りつぶし領域により前記流路を塗りつぶし表示する抽出結果表示工程
を備えることを特徴とする表示方法。
【請求項７】
請求項６に記載の表示方法において、
前記画像、前記抽出結果とした前記流路領域のいずれか少なくとも一方を表示画面上で移動させて調整、あるいは前記抽出結果とした前記流路領域の大きさを表示画面上で調整する画像・抽出結果調整工程を備えることを特徴とする表示方法。
【請求項８】
測定対象の液体中に含まれている発光あるいは蛍光物質から発生した光あるいは測定対象の液体中に含まれている放射線を測定して得られた測定データを表示する一連の処理をコンピュータに実行させるための表示プログラムであって、
前記測定対象に対する撮像によって得られた画像を表示し、当該画像に対してアルゴリズムで抽出された抽出結果として、前記測定対象の液体を収容するために設けられた容器の流路に関する流路領域を当該画像に付加して表示し、前記流路領域を、前記画像上の流路を囲む囲み領域および前記画像上の流路を色で塗りつぶす塗りつぶし領域により形成して、前記囲み領域により前記流路を囲い表示するとともに、前記塗りつぶし領域により前記流路を塗りつぶし表示する抽出結果表示工程
を備えることを特徴とする表示プログラム。
【発明の詳細な説明】
【技術分野】
【０００１】
この発明は、測定対象の液体中に含まれている発光あるいは蛍光物質から発生した光あるいは測定対象の液体中に含まれている放射線を測定する測定システムに用いられる表示装置、表示方法並びに表示プログラムに関する。
【背景技術】
【０００２】
測定システムは、例えば液体採取装置に用いられる。液体採取装置として、血液を採取する、すなわち採血する採血装置を例にとって説明する。採血装置は、核医学診断（例えば、ＰＥＴ(Positron Emission Tomography)、ＳＰＥＣＴ（Single Photon Emission CT）など）における定量解析で用いられ、特に小動物（例えばマウスやラットなど）の動脈血中の放射能濃度の測定に用いられている。
【０００３】
具体的には、小動物に放射性薬剤を投与した後に血液を採取（採血）して、既定時間ごとの全採血終了後に遠心分離による血漿分離を行い、全血および血漿中の放射能濃度の時間変化を測定する（例えば、特許文献１、２参照）。より具体的に説明すると、血液中に含まれているβ＋線に対して露光を行って放射能分布を可視化するイメージングプレート（IP: Imaging Plate）を用いて測定する。イメージングプレート（「ＩＰ」と適宜略記する）から得られたＩＰ画像から放射線量の値を取得するソフトウェアとして、例えば富士フィルム社製のMulti Gaugeがある。このソフトウェアでは、ＩＰ画像を読み込んでソフトウェア上で関心領域を設定して、関心領域内の画素値を計算することで、単位面積当たりの放射線量を求めることができる。
【０００４】
特許文献１では、所定の寸法で区切られた容器に放射能を放射する試料（ここでは血液）を入れ、ＩＰで試料の放射線強度を測定し、スキャナで試料の面積を測定する。所定の寸法で容器が設計されていることから、測定結果の試料の面積から試料の体積を求める。そして、ＩＰで取得された放射線強度のＩＰ画像とスキャナで取得されたスキャナ画像とを合わせて、各試料の放射能濃度（＝放射線強度／体積）を算出する技術が示されている。特許文献２では、所定の寸法で区切られた容器の例が示されており、平面状の円板に複数の試料を入れる流路が形成された容器が示されている。
【０００５】
血中放射能濃度を求める際には、下記のような流れで処理する。すなわち、測定対象の血液を円板（「ＣＤウェル」とも呼ばれる）の流路に採取する。円板を回転させて遠心分離して、血液を血漿および血球に分離する血漿分離を行う。円板をフラットヘッドスキャナで撮像し、画像データ（スキャナ画像）を取得する。
【０００６】
円板の各流路は、円板に対して所定の寸法で溝加工したもので形成されていることから、流路に送り込まれた血液の溝長あるいは溝領域がわかれば、所定の寸法で溝加工された溝の断面積あるいは溝の深さに基づいて流路に送り込まれた血液の体積を規定することができる。取得された円板の画像データ（スキャナ画像）を上述したソフトウェアで読み込んで、流路位置、流路内の血液が分離した血漿と気体との境界、および血漿と血球との境界を、ＣＰＵ（中央演算処理装置）によるアルゴリズムにより自動的に検出する。ゾーベルフィルタ(Sobel filter)などで境界を自動的に検出することが可能である。このとき、図１０に示すように、検出された境界の位置がわかるように境界線Ｌを画像データ上に重ね合わせて表示する。図示の便宜上、図１０ではハッチング等で図示しているが、実際のスキャナ画像では血漿、血球および気体が当該スキャナ画像上に写し出される。
【０００７】
この境界線Ｌの位置から溝長を割り出し、当該溝長および流路の断面積から血漿・血球の各部の体積をそれぞれ求める。一方で、ＩＰで取得されたＩＰ画像と、上述のスキャナ画像とを重ね合わせて重畳処理を行い、ＩＰ画像上で血漿および血球と重なる部分のβ＋線の計数情報から、各部のβ＋線の放射線強度から各部の体積をそれぞれ除算することで、単位体積当たりの血中放射能濃度をそれぞれ求める。
【先行技術文献】
【特許文献】
【０００８】
【特許文献１】国際公開第ＷＯ２００９−０９３３０６号
【特許文献２】特開２０１１−０７５４２０号公報
【発明の概要】
【発明が解決しようとする課題】
【０００９】
しかしながら、境界の位置を自動的に検出する際には、自動検出した境界位置が実際の（撮像で得られた）境界位置とずれるという問題がある。
すなわち、フラットヘッドスキャナで取り込んだスキャナ画像に埃やゴミやＣＤウェルの表面の傷が写り込んでいる、あるいは気体・血漿や血漿・血球の境界面が混じり合い不明瞭でぼやけるなどの理由で、自動検出した境界位置が実際の境界位置とずれる誤検出が生じる。
【００１０】
この発明は、このような事情に鑑みてなされたものであって、誤検出の有無を容易に判別することができる測定システムに用いられる表示装置、表示方法並びに表示プログラムを提供することを目的とする。
【課題を解決するための手段】
【００１１】
発明者らは、上記の問題を解決するために鋭意研究した結果、次のような知見を得た。
【００１２】
すなわち、誤検出する場合には、手作業により上述した境界線を正しい境界位置に修正（調整）すれば、各領域を正確に求めることができるはずである。しかし、実際の境界位置がわかりにくい場合があり、境界線が実際の境界位置に位置しているのか、ひいては誤検出が生じているのかが区別しにくい。血漿分離する場合を例に採ると、実際には気体と血漿との境界なのに、血漿と血球との境界として誤検出して表示している場合に、表示されている境界が、気体と血漿との境界として表示しているのか、もしくは、血漿と血球との境界として表示しているのかが区別しにくい。
【００１３】
これは、境界線を手動で設定することに起因している可能性がある。してみれば、手動で設定された境界線を表示するのではなく、実際の撮像によって得られた画像以外にも、ＣＰＵによるアルゴリズムに基づいて得られたデータを別に表示すれば、誤検出の有無を容易に判別することができるという知見を得た。
【００１４】
このような知見に基づくこの発明は、次のような構成をとる。
すなわち、この発明に係る測定システムに用いられる表示装置は、測定対象の液体中に含まれている発光あるいは蛍光物質から発生した光あるいは測定対象の液体中に含まれている放射線を測定する測定システムに用いられる表示装置であって、前記測定対象に対する撮像によって得られた画像を表示し、当該画像に対してアルゴリズムで抽出された抽出結果として、前記測定対象の液体を収容するために設けられた容器の流路に関する流路領域を当該画像に付加して表示し、前記流路領域を、前記画像上の流路を囲む囲み領域および前記画像上の流路を色で塗りつぶす塗りつぶし領域により形成して、前記囲み領域により前記流路を囲い表示するとともに、前記塗りつぶし領域により前記流路を塗りつぶし表示する抽出結果表示手段を備えることを特徴とするものである。
【００１５】
［作用・効果］この発明の測定システムに用いられる表示装置によれば、測定対象に対する撮像によって得られた画像を表示し、当該画像に対してアルゴリズムで抽出された抽出結果として、測定対象の液体を収容するために設けられた容器の流路に関する流路領域を当該画像に付加して表示し、流路領域を、画像上の流路を囲む囲み領域および画像上の流路を色で塗りつぶす塗りつぶし領域により形成して、囲み領域により流路を囲い表示するとともに、塗りつぶし領域により流路を塗りつぶし表示する抽出結果表示手段を備えることで、実際の撮像によって得られた画像に、アルゴリズムで抽出された抽出結果として囲み領域および塗りつぶし領域により形成された流路領域を付加して表示することにより、抽出結果とした流路領域が、実際の撮像によって得られた画像の各領域に埃やゴミや傷等の理由により一致せずに誤検出されたとしても、少なくとも誤検出が有ったことを囲み領域および塗りつぶし領域により容易に判別することができる。また、抽出結果とした流路領域が、実際の撮像によって得られた画像の各領域に一致する場合には、誤検出が無かったことを囲み領域および塗りつぶし領域により容易に判別することができる。その結果、アルゴリズムで抽出された抽出結果とした流路領域（囲み領域および塗りつぶし領域）に基づいて誤検出の有無を容易に判別することができる。
【００１６】
なお、塗りつぶす色については、有色に限定されず、画像の画素値に応じた色（例えば透過色、半透過色）で塗りつぶすことも包含されることに留意されたい。
【００１７】
また、この発明に係る表示方法は、測定対象の液体中に含まれている発光あるいは蛍光物質から発生した光あるいは測定対象の液体中に含まれている放射線を測定して得られた測定データを表示する表示方法であって、前記測定対象に対する撮像によって得られた画像を表示し、当該画像に対してアルゴリズムで抽出された抽出結果として、前記測定対象の液体を収容するために設けられた容器の流路に関する流路領域を当該画像に付加して表示し、前記流路領域を、前記画像上の流路を囲む囲み領域および前記画像上の流路を色で塗りつぶす塗りつぶし領域により形成して、前記囲み領域により前記流路を囲い表示するとともに、前記塗りつぶし領域により前記流路を塗りつぶし表示する抽出結果表示工程を備えることを特徴とするものである。
【００１８】
また、この発明に係る表示プログラムは、測定対象の液体中に含まれている発光あるいは蛍光物質から発生した光あるいは測定対象の液体中に含まれている放射線を測定して得られた測定データを表示する一連の処理をコンピュータに実行させるための表示プログラムであって、前記測定対象に対する撮像によって得られた画像を表示し、当該画像に対してアルゴリズムで抽出された抽出結果として、前記測定対象の液体を収容するために設けられた容器の流路に関する流路領域を当該画像に付加して表示し、前記流路領域を、前記画像上の流路を囲む囲み領域および前記画像上の流路を色で塗りつぶす塗りつぶし領域により形成して、前記囲み領域により前記流路を囲い表示するとともに、前記塗りつぶし領域により前記流路を塗りつぶし表示する抽出結果表示工程を備えることを特徴とするものである。
【００１９】
［作用・効果］この発明の表示方法および表示プログラムによれば、抽出結果表示工程で、測定対象に対する撮像によって得られた画像を表示し、当該画像に対してアルゴリズムで抽出された抽出結果として、測定対象の液体を収容するために設けられた容器の流路に関する流路領域を当該画像に付加して表示し、流路領域を、画像上の流路を囲む囲み領域および画像上の流路を色で塗りつぶす塗りつぶし領域により形成して、囲み領域により流路を囲い表示するとともに、塗りつぶし領域により流路を塗りつぶし表示することで、抽出結果とした流路領域が、実際の撮像によって得られた画像の各領域に一致あるいは不一致なのかを囲み領域および塗りつぶし領域により容易に判別することができる。その結果、アルゴリズムで抽出された抽出結果とした流路領域（囲み領域および塗りつぶし領域）に基づいて誤検出の有無を容易に判別することができる。
【００２０】
上述したこの発明に係る表示装置において、画像、抽出結果とした流路領域のいずれか少なくとも一方を表示画面上で移動させて調整、あるいは抽出結果とした流路領域の大きさを表示画面上で調整する画像・抽出結果調整手段を備えるのが好ましい。また、上述したこの発明に係る表示方法において、画像、抽出結果とした流路領域のいずれか少なくとも一方を表示画面上で移動させて調整、あるいは抽出結果とした流路領域の大きさを表示画面上で調整する画像・抽出結果調整工程を備えるのが好ましい。表示画面上で調整することで、誤検出があった抽出結果とした流路領域を画像に対して相対的に一致させることができ、アルゴリズムで抽出された抽出結果とした流路領域を手動で調整して、調整された抽出結果とした流路領域により画像の各領域の表示を強調することができる。
【００２１】
上述したこれらの表示装置において、抽出結果表示手段は、画像上で、測定対象の液体を遠心分離させて得られた各成分に対して、抽出結果として成分領域を付加して表示するのが好ましい。画像上の各成分に、アルゴリズムで抽出された成分領域を付加して表示することで、実際の画像上の各成分とアルゴリズムで抽出された成分領域との一致あるいは不一致を容易に判別することができる。
【００２２】
成分領域の一例（前者の一例）は、画像上の各成分を囲む囲み領域であって、抽出結果表示手段は、当該囲み領域により各成分を別々に囲い表示する。あるいは、成分領域の他の一例（後者の一例）は、画像上の各成分を色で塗りつぶす塗りつぶし領域であって、抽出結果表示手段は、当該塗りつぶし領域により各成分を別々に塗りつぶし表示する。流路領域でも述べたように、塗りつぶす色については有色に限定されない。また、前者の一例と後者の一例とを組み合わせて、囲み領域により各成分を別々に囲い表示し、内側の部分については塗りつぶし領域により各成分を別々に塗りつぶし表示してもよい。
【発明の効果】
【００２３】
この発明に係る測定システムに用いられる表示装置によれば、測定対象に対する撮像によって得られた画像を表示し、当該画像に対してアルゴリズムで抽出された抽出結果として、測定対象の液体を収容するために設けられた容器の流路に関する流路領域を当該画像に付加して表示し、流路領域を、画像上の流路を囲む囲み領域および画像上の流路を色で塗りつぶす塗りつぶし領域により形成して、囲み領域により流路を囲い表示するとともに、塗りつぶし領域により流路を塗りつぶし表示する抽出結果表示手段を備えることで、アルゴリズムで抽出された抽出結果とした流路領域（囲み領域および塗りつぶし領域）に基づいて誤検出の有無を容易に判別することができる。
また、この発明の表示方法および表示プログラムによれば、抽出結果表示工程で、測定対象に対する撮像によって得られた画像を表示し、当該画像に対してアルゴリズムで抽出された抽出結果として、測定対象の液体を収容するために設けられた容器の流路に関する流路領域を当該画像に付加して表示し、流路領域を、画像上の流路を囲む囲み領域および画像上の流路を色で塗りつぶす塗りつぶし領域により形成して、囲み領域により流路を囲い表示するとともに、塗りつぶし領域により流路を塗りつぶし表示することで、アルゴリズムで抽出された抽出結果とした流路領域（囲み領域および塗りつぶし領域）に基づいて誤検出の有無を容易に判別することができる。
【図面の簡単な説明】
【００２４】
【図１】実施例に係る採血装置および測定装置の概略斜視図である。
【図２】実施例に係る測定装置のブロック図である。
【図３】測定装置の撮像部におけるスキャナの概略斜視図である。
【図４】実施例に係る円板の概略平面図である。
【図５】実施例に係る表示装置のブロック図である。
【図６】表示装置の出力モニタにおける表示形態の一例である。
【図７】実施例に係る固定治具の概略平面図である。
【図８】（ａ）〜（ｄ）は、抽出結果（流路領域）の各例をスキャナ画像に付加した図である。
【図９】実施例に係る一連の処理の流れを示したフローチャートである。
【図１０】従来の境界線を画像データ上に重ね合わせた図である。
【実施例】
【００２５】
以下、図面を参照してこの発明の実施例を説明する。
図１は、実施例に係る採血装置および測定装置の概略斜視図であり、図２は、実施例に係る測定装置のブロック図であり、図３は、測定装置の撮像部におけるスキャナの概略斜視図である。本実施例では、測定対象の液体として血液を例に採って説明するとともに、測定システムとして採血装置および測定装置を備えたシステムを例に採って説明する。
【００２６】
図１に示すように、本実施例に係る採血装置１０は、測定対象の血液を時系列に分離して採取する。また、採血装置１０の周辺には、採血装置１０で採取された血液中に含まれている放射線（例えばβ線やγ線など）を測定する測定装置３０を備えている。
【００２７】
採血装置１０は、２枚のＰＤＭＳ樹脂（Polydimethylsiloxane）からなるＰＤＭＳ基板１１，１２を上下に重ねて構成された微小流体素子（液体分割デバイス）４０を備えている。ＰＤＭＳ基板１１，１２に対して所定の寸法で溝加工を施しており、その溝加工の溝によって主流路１３および側路４１，４２，４３をそれぞれ形成している。ここで、採血装置１０の素材はＰＤＭＳに限定されず、アクリル、ポリカーボネート、COP（シクロオレフィンポリマー）など樹脂光学的に透明なものであれば良い。
【００２８】
主流路１３の血液入口側にはカテーテル１４を配設しており、主流路１３とカテーテル１４とを、コネクタ１５を介して接続している。血液はカテーテル１４から主流路１３に連続的に送り込まれ、流入量はバルブ（図示省略）で制御される。主流路１３の血液出口側には血液用配管１６を配設しており、主流路１３と血液用配管１６とを、コネクタ１７を介して接続している。
【００２９】
主流路１３を挟んで光源２１およびフォトダイオード２２を配設している。主流路１３を流れる血液あるいは後述するヘパリン溶液に光源２１から光を照射し、血液による遮光をフォトダイオード２２が検知することで、その血液あるいはヘパリン溶液を光学的に監視（モニタ）しながら後述する血液あるいはヘパリン溶液の長さ情報を測定する。ここでは光学測定手段として光源２１およびフォトダイオード２２を例に採って説明したが、測定対象の液体を光学的に監視しながら液体の間隔を測定する手段であれば、光源２１およびフォトダイオード２２に限定されない。例えば、ＣＣＤカメラによって測定対象の液体の体積情報を取得してもよい。また、光源２１およびフォトダイオード２２は、図１に示すように主流路１３を挟んで互いに対向配置される構成で、血液による遮光で検知する、いわゆる「透過型センサ」であったが、光源に対してフォトダイオードに代表される光検出手段を同じ側に配設し、血液による反射光で検知する、いわゆる「反射型センサ」であってもよい。
【００３０】
一方、上述した血液用配管１６の下流側にはノズル２３を接続している。ノズル２３としては、注射針やガラス管など毛細管を使用する。ここで、液体を吐出する吐出部としてノズル２３を用いているが、ディスペンサを使用してもよい。このノズル２３から滴下した血液を受け取って収容する円板（「ＣＤウェル」とも呼ばれる）２４を配設している。円板２４の中央側には、滴下された血液を受け取る複数の開口部からなる流路入口２５（図４も参照）を放射状に配設している。円板２４に対しても、上述したＰＤＭＳ基板１１，１２と同様に、溝加工を施しており、その溝加工の溝によってＵ字型の溝からなる複数本のＵ字流路２６（図４も参照）を放射状に形成している。各々のＵ字流路２６は、上述した流路入口２５の外側一端に一対一でそれぞれ接続されており、各々のＵ字流路２６は、円板２４の径方向に延びて形成されている。このように、ノズル２３を介在させることで、主流路１３に対して血液が流通可能に円板２４が形成されることになる。円板２４は、この発明における容器に相当し、Ｕ字流路２６は、この発明における流路に相当する。円板２４の具体的な構成については、図４以降で後述する。
【００３１】
一方、測定装置３０は、読取部３１を備えている。この読取部３１には、露光後のイメージングプレートＩＰを挿入するためのカバー部を設けており、イメージングプレートＩＰから励起された光を読み取ることで血液中に含まれているβ＋線を検出する。具体的には、図１（ｂ）に示すように、読取部３１は、レーザ光源３２とフォトマルチプライヤチューブ（光電子増倍管）３３とを備えており、レーザ光源３２からイメージングプレートＩＰにレーザを照射して、イメージングプレートＩＰへのレーザ照射によって励起された光をフォトマルチプライヤチューブ３３が電子に変換して増倍させることで、β＋線を２次元的に同時に検出する。
【００３２】
続いて、測定装置３０のブロック図について説明する。図２に示すように、測定装置３０は、上述した読取部３１の他に、撮像部３４と表示装置３５とを備えている。表示装置３５については、通常のパーソナルコンピュータで構成してもよい。表示装置３５は、この発明における表示装置に相当する。表示装置３５の具体的な構成については、図５以降で後述する。
【００３３】
図３に示すように、撮像部３４は円板２４を撮像する。本実施例では、撮像部３４としてフラットヘッドスキャナを採用する。円板２４の直径分の長さを少なくとも有する線状の光源３４ａと円板２４を挟んで光源３４ａに対して対向配置された線状のフォトダイオードアレイ（すなわちラインセンサ）３４ｂでフラットヘッドスキャナを構成する。フラットヘッドスキャナで円板２４上を走査（スキャン）することで円板２４を撮像して、円板２４の画像を取得する。
【００３４】
図１の説明に戻り、上述したように、微小流体素子４０は、血液を送り込む主流路１３と、血液凝固の発生を防ぐための抗凝固剤の一種であるヘパリン溶液を送り込む側路４１と、空気あるいはガスを送り込む側路４２と、血液あるいはヘパリン溶液を排出する側路４３とを備えている。
【００３５】
側路４１の溶液入口側には洗浄液用配管４４を配設しており、側路４１と洗浄液用配管４４とを、コネクタ４５を介して接続している。必要に応じて主流路１３にヘパリン溶液を洗浄液用配管４４から側路４１を介して流し込むことで流路を洗浄する。ヘパリン溶液の流入量はバルブで制御される。抗凝固剤はヘパリン溶液に限定されない。
【００３６】
側路４２の気体入口側には気泡用配管４６を配設しており、側路４２と気泡用配管４６とを、コネクタ４７を介して接続している。圧力発生器（図示省略）で制御された空気あるいはガスの流入時間をバルブで調整して、側路４２を通して主流路１３に送り込む。この気泡によって血液の長さ情報に基づく血液の取り出しと微小流体素子４０の流路に残留する廃液（血液、ヘパリン溶液あるいはこれらの混合液）の排出を行う。ここで、送り込まれるガスについては限定されず、ヘリウムやネオンやアルゴンなどの希ガス、あるいは窒素ガスに例示されるように、血液やヘパリン溶液と反応しないガスであれば良い。
【００３７】
気泡用配管４６は、側路１４を通って主流路１３に気体（例えば空気やガスなど）を送り込み、指定された所定の間隔でその気体を気泡として挿入することで、測定対象の血液を時系列的に分離して円板２４に送り出す。つまり、気泡は、セパレータとしての機能を果たす。なお、セパレータとして気体を使用したが、気体に限定されずに、測定対象の液体（本実施例では血液）に対して混合する可能性が少ない、あるいは可能性がなければ、測定対象の液体とは別の液体をセパレータとして使用してもよい。本実施例のように測定対象の液体が血液の場合には、ミネラルオイルやフッ素系のオイルなどに代表されるように血液と相互に混ざり合わない液体をセパレータとして使用してもよい。但し、液体をセパレータとして使用する場合には、血液と接触するのでセパレータとして使用できるが、円板２４に送り出して採取する点では望ましくない。
【００３８】
側路４３の廃液出口側には廃液用配管４８を配設しており、側路４３と廃液用配管４８とを、コネクタ４９を介して接続している。バルブで排出量を調整して採血されるべき血液以外の血液や、流路洗浄後のヘパリン溶液や、これらの混合液を廃液として排出する。
【００３９】
また、主流路１３のコネクタ１５よりも下流にバルブを配設し、主流路１３のコネクタ１７、光源２１およびフォトダイオード２２よりも上流にバルブを配設している。側路４１のコネクタ４５よりも下流にバルブを配設し、側路４２のコネクタ４７よりも下流にバルブを配設している。また、側路４３のコネクタ４９よりも上流にバルブを配設している。
【００４０】
次に、円板２４の具体的な構成について、図１も含めて図４を参照して説明する。図４は、実施例に係る円板の概略平面図である。円板２４のＵ字流路２６は、図４に示すように、上述の流路入口２５と空気穴２７とをつないで形成されている。血液の導入口である流路入口２６を血液の上流部、空気穴２７を下流部としたときに、上流部から下流部へは、Ｕ字流路２６は、円板２４の径方向に内側から外側に向かって延びて、折り返して円板２４の径方向に外側から内側に向かって延びて形成されたＵ字型となっている。かかるＵ字流路２６を複数に備えている。
【００４１】
なお、円板２４には２箇所の窪み２４Ａ，２４Ｂがあり、後述する固定治具６１（図７を参照）に嵌合される。固定冶具６１については、図７以降で後述する。
【００４２】
図１に示すように、円板２４の中央に円板２４を回転させるモータ２８を備えている。モータ２８の回転軸２９を円板２４に連結させることで、モータ２８による円板２４の遠心力を利用して、血液を遠心分離させて血漿および血球に分離する血漿分離を行う。
【００４３】
本実施例では、円板２４はアクリル板で形成されている。円板２４の素材はアクリルに限定されず、上述のＰＤＭＳ、その他、ポリカーボネート、ＣＯＰなど樹脂光学的に透明なものであれば良い。
【００４４】
次に、表示装置３５の具体的な構成について、図５および図６を参照して説明する。図５は、実施例に係る表示装置のブロック図であり、図６は、表示装置の出力モニタにおける表示形態の一例である。図５に示すように、表示装置３５は、第１読み込み部３６Ａと第２読み込み部３６Ｂとメモリ部３７とコントローラ３８と入力部３９と出力モニタ５０とを備えている。入力部３９は、この発明における画像・抽出結果調整手段に相当する。
【００４５】
第１読み込み部３６Ａおよび第２読み込み部３６Ｂは、例えばＩ／Ｏ（Input/Output）デバイスなどの読み込みデバイスなどで構成されている。第１読み込み部３６Ａは、読取部３１（図１や図２を参照）を介してイメージングプレートＩＰ（図１を参照）で取得されたＩＰ画像を読み込む。第２読み込み部３６Ｂは、撮像部３４で取得されたスキャナ画像を読み込む。
【００４６】
メモリ部３７は、ＲＯＭ（Read-only Memory）やＲＡＭ（Random Access Memory）などに代表される記憶媒体で構成されている。本実施例では、図９に示す一連の処理をコンピュータ（本実施例ではコントローラ３８）に実行させるための表示プログラム３７Ａと、ＩＰ画像やスキャナ画像などのように撮像によって得られた画像に対してアルゴリズムで抽出された抽出結果として流路領域を記憶する抽出結果メモリ部３７Ｂとをメモリ部３７は備えている。表示プログラム３７ＡはＲＯＭで構成され、抽出結果メモリ部３７ＢはＲＡＭで構成されている。具体的には、流路領域は、円板２４（図１や図３や図４を参照）のＵ字流路２６（図１や図４を参照）における流路領域である。また、本実施例では、抽出結果として、流路領域の他に、測定対象の液体（本実施例では血液）を遠心分離させて得られた各成分（本実施例では血漿・血球）における成分領域を例に採って説明する。表示プログラム３７Ａは、この発明における表示プログラムに相当する。
【００４７】
コントローラ３８は、中央演算処理装置（ＣＰＵ）などで構成されている。各種の画像処理を行うためのプログラムや、放射能濃度を算出するプログラムや、図５に示す表示プログラム３７Ａ等をコントローラ３８が実行することでそのプログラムに応じた画像処理や表示プログラム３７Ａに応じた図９に示す一連の処理（第１／第２読み込み部３６Ａ，３６Ｂへの読み込み制御、出力モニタ５０における表示態様）を行う。各種の画像処理として、コントローラ３８は、スキャナ画像を縮小処理、拡大処理する縮小・拡大処理の機能、あるいはスキャナ画像の輪郭を強調して輪郭強調画像を出力する輪郭強調の機能を有している。さらに、コントローラ３８は、当該輪郭強調画像に基づいて演算（アルゴリズム）処理して、上述した抽出結果とした流路領域（その他に成分領域）を出力する機能をも有している。
【００４８】
入力部３９は、マウスやキーボードやジョイスティックやトラックボールやタッチパネルなどに代表されるポインティングデバイスなどで構成されている。本実施例では、入力部３９は、後述するメイン画面５１（図６を参照）に拡大表示するために、後述する縮小画面５２，５３，５４（図６を参照）に縮小表示された各画像を選択する画像選択の機能や、ＩＰ画像やスキャナ画像などのように撮像によって得られた画像、抽出結果とした流路領域のいずれか少なくとも一方を表示画面上で移動させて調整、あるいは抽出結果とした流路領域の大きさを表示画面上で調整する画像・抽出結果調整手段の機能を有している。
【００４９】
出力モニタ５０は、図６に示すように、メインとなる画像を拡大表示するメイン画面５１と、ＩＰ画像を縮小表示する縮小画面５２と、スキャナ画像を縮小表示する縮小画面５３と、ＩＰ画像・スキャナ画像を重ね合わせて重畳処理した重畳処理後の画像を縮小表示する縮小画面５４とを備えている。図６では、第１読み込み部３６Ａで読み込まれたＩＰ画像、第２読み込み部３６Ｂで読み込まれたスキャナ画像を重ね合わせてメイン画面５１に重畳表示している。メイン画面５１には、画像に抽出結果とした流路領域を付加して表示する。メイン画面５１は、この発明における抽出結果表示手段に相当する。
【００５０】
次に、固定治具６１の具体的な構成について、図７を参照して説明する。図７は、実施例に係る固定治具の概略平面図である。かかる円板２４（図１や図３や図４を参照）を固定して位置決めを行いつつ支持するために、図７に示すように固定治具６１を備えている。固定冶具６１には、円板２４が嵌合する開口部６２が設けられており、その開口部６２に２つの突起部６２Ａ，６２Ｂが設けられている。突起部６２Ａに円板２４の窪み２４Ａ（図４を参照）を嵌合し、突起部６２Ｂに円板２４の窪み２４Ｂ（図４を参照）を嵌合することで、固定治具６１は円板２４を固定して位置決めを行いつつ支持する。
【００５１】
本実施例では、図７に示すように開口部６２を１つ設けて、１つの固定冶具６１に対して１つの円板２４が固定されるが、開口部６２を複数（例えば２つ）設けて、１つの固定冶具６１に対して当該複数の円板２４が固定されるように構成してもよい。また、図面の左上には固定治具６１に切り欠き６１Ａを設けている。
【００５２】
なお、図７に示す固定治具６１の場合には１８０°回転させると流路入口２６（図１や図４を参照）の対称性から上下左右を間違える恐れがあるが、切り欠き６１Ａを図面の左上に設けることで、読取部３１（図１や図２を参照）を介してイメージングプレートＩＰ（図１を参照）で取得されたＩＰ画像も、撮像部３４で取得されたスキャナ画像も、切り欠き６１Ａを基準として向きをそろえることができる。
【００５３】
モータ２８（図１を参照）による円板２４（図１や図３や図４を参照）の遠心力により、血漿および血球に血漿分離された円板２４を固定治具６１は固定して位置決めを行いつつ支持することで、円板２４の各々の流路入口２６（図１や図４を参照）の向きや位置も固定される。そして、向きや位置が固定された状態で、イメージングプレートＩＰ（図１を参照）を用いて円板２４の撮像を行ってＩＰ画像を取得し、撮像部３４（図２や図３や図５を参照）のフラットヘッドスキャナによる円板２４の撮像を行ってスキャナ画像を取得する。なお、撮像の順番については特に限定されない。
【００５４】
具体的に説明すると、円板２４（図１や図３や図４を参照）および固定治具６１をサンプルとして、図示を省略するカセッテを開いて収容して、その上にイメージングプレートＩＰ（図１を参照）を収容して、カセッテを閉じて露光を行う。この露光によって、血液中に含まれているβ＋線の電離能により、イメージングプレートＩＰの蛍光体（図示を省略）の格子欠陥に電子が捕獲される。一定時間の露光後にイメージングプレートＩＰをカセッテから取り出して、測定装置３０（図１を参照）の読取部３１（図１や図２を参照）のカバー部に挿入して、イメージングプレートＩＰに光を照射して露光を行う。
【００５５】
読取部３１（図１や図２を参照）のレーザ光源３２（図１や図２を参照）からイメージングプレートＩＰ（図１を参照）にレーザを照射する。捕獲された電子がこの照射によって伝導体に励起され正孔と再結合し、蛍光体から光として励起される。このイメージングプレートＩＰへのレーザ照射によって励起された光をフォトマルチプライヤチューブ３３（図１や図２や図５を参照）が電子に変換して増倍させることで、電気パルスとして２次元的に同時に検出して計数する。なお、レーザ光源３２からイメージングプレートＩＰへ照射した後には、再利用するために消去用光源（図示省略）から光をイメージングプレートＩＰへ照射することで、捕獲された電子を消去する。イメージングプレートＩＰと読取部３１で求められたβ＋線の計数情報に基づいて、β＋線の計数情報である血中の放射線量を求める。このようにして、ＩＰ画像が取得される。
【００５６】
一方、撮像部３４（図２や図３や図５を参照）は、血漿分離された血漿および血球を円板２４（図１や図３や図４を参照）およびそれを支持した固定治具６１ごと撮像する。撮像部３４のフラットヘッドスキャナの光源３２ａ（図３を参照）から光を照射することで、吸光度の相違によって血漿および血球が撮像された画像上で濃淡差となって現れ、画像上で容易に識別可能である。このようにして、スキャナ画像が取得される。
【００５７】
スキャナ画像は、血液や円板２４（図１や図３や図４を参照）や切り欠き６１Ａを設けた固定冶具６１を含んだ形態情報画像であるので、切り欠き６１Ａなどの情報も反映されるが、ＩＰ画像は、測定情報を有した測定情報画像であるので、切り欠き６１Ａなどの情報は画像に反映されない。しかし、固定冶具６１によって各々の流路入口２６（図１や図４を参照）の向きや位置が固定されるので、（円板２４の固定位置である）円板２４のＵ字流路２６と固定治具６１との相対位置も決定される。
【００５８】
ただし、固定冶具６１を備えていても、上述したようにＣＤウェル（すなわち円板）上の表面の傷や埃やゴミなどが撮像部３４（図２や図３や図５を参照）のフラットヘッドスキャナで取り込んだスキャナ画像に写り込んでいると、気体・血漿や血漿・血球の境界位置を誤検出する場合がある。また、フラットヘッドスキャナで撮像する際に固定冶具６１ごと円板２４（図１や図３や図４を参照）が傾いていたりすると、円板２４のＵ字流路（図１や図４を参照）における流路位置や流路領域を正しく検出することができず、実際の流路位置や流路領域とずれて検出する場合がある。
【００５９】
そこで、アルゴリズムで抽出された抽出結果として流路領域を画像（ここではスキャナ画像）に付加して表示する。抽出結果の各例として、図８を参照して説明する。図８（ａ）〜（ｄ）は、抽出結果（流路領域）の各例をスキャナ画像に付加した図である。図８（ａ）、図８（ｃ）では、抽出結果とした流路領域７１の他に、成分領域７２をスキャナ画像に付加している。図８（ｂ）、図８（ｄ）では、抽出結果とした流路領域７１をスキャナ画像に付加している。図８中の符号ＢＰは血漿を示し、符号ＢＣは血球を示す。なお、図８では白黒であるので、塗りつぶす色をハッチング等で区別しているが、実際には有色である。ただし、有色には限定されない。
【００６０】
次に、一連の処理について、図９を参照して説明するとともに、上述の図８と併せて説明する。図９は、実施例に係る一連の処理の流れを示したフローチャートである。
【００６１】
先ず、読取部３１（図１や図２を参照）を介してイメージングプレートＩＰ（図１を参照）からＩＰ画像を取得するとともに、撮像部３４（図２や図３や図５を参照）のフラットヘッドスキャナからスキャナ画像を取得する。
【００６２】
（ステップＳ１）画像読み込み
第２読み込み部３６Ｂ（図５を参照）は、撮像部３４（図２や図３や図５を参照）で取得されたスキャナ画像を読み込む。
【００６３】
また、通常では、関心領域を抽出するために、ステップＳ１で読み込まれたスキャナ画像の輪郭をコントローラ３８（図５を参照）は強調して輪郭強調画像を出力する。輪郭強調処理としては、例えばゾーベルフィルタ(Sobel filter)処理やプレヴィットフィルタ(Prewitt filter)処理などに代表される、注目画素とその周辺画素との差分を求める一次微分による輪郭強調処理、ラプラシアンフィルタ(Laplacian filter)処理などに代表される、注目画素とその周辺画素との差分のさらなる差分を求める二次微分による輪郭強調処理などを行えばよい。これらの輪郭強調処理については公知の技術であるので、その説明を省略する。
【００６４】
この輪郭強調画像を利用して抽出結果（流路領域）に供する。すなわち、コントローラ３８（図５を参照）はスキャナ画像に対して輪郭強調処理などのアルゴリズムを施してスキャナ画像の輪郭を強調して輪郭強調画像を出力することで、円板２４（図１や図３や図４を参照）のＵ字流路（図１や図４を参照）の流路の輪郭（すなわち流路領域）や、気体・血漿や血漿・血球の境界位置を検出して、当該流路の輪郭（流路領域）を抽出し、当該境界位置および当該流路領域で囲まれた領域を成分領域として抽出する。そして、この輪郭強調処理のアルゴリズムによる抽出結果とした流路領域７１（図８（ａ）〜（ｄ）を参照）を抽出結果メモリ部３７Ｂ（図５を参照）に書き込んで記憶する。また、それに併せて、成分領域７２（図８（ａ）、図８（ｃ）を参照）を抽出結果メモリ部３７Ｂ（図５を参照）に書き込んで記憶してもよい。
【００６５】
（ステップＴ１）画像読み込み
一方、第１読み込み部３６Ａ（図５を参照）は、読取部３１（図１や図２を参照）を介してイメージングプレートＩＰ（図１を参照）で取得されたＩＰ画像を読み込む。上述のステップＳ１，このステップＴ１の順番については特に限定されず、ステップＴ１を先に行ってもよいし、ステップＳ１を先に行ってもよいし、ステップＳ１，Ｔ１を同時並行に行ってもよい。
【００６６】
（ステップＳ２）画像表示
ステップＳ１で読み込まれたスキャナ画像を出力モニタ５０（図６を参照）の各画面に表示する。その際に、スキャナ画像を縮小処理して、縮小処理後のスキャナ画像を、図６に示す縮小画面５３に表示した後に、図６に示すメイン画面５１に拡大表示してもよい。
【００６７】
（ステップＳ３）抽出結果表示
ステップＳ２でスキャナ画像を、図６に示すメイン画面５１に表示した場合には、図８（ａ）〜図８（ｄ）に示すように当該スキャナ画像に対してアルゴリズムで抽出された抽出結果とした流路領域を当該スキャナ画像に付加してメイン画面５１に表示する。図８（ａ）〜図８（ｄ）に示す抽出結果（流路領域、成分領域）をメイン画面５１に付加して表示するために、抽出結果メモリ部３７Ｂ（図５を参照）から抽出結果とした流路領域を読み出して、図８（ａ）〜図８（ｄ）に示すように流路領域７１をスキャナ画像に付加してメイン画面５１に表示する。流路領域７１の他に、図８（ａ）、図８（ｃ）に示すように抽出結果として成分領域７２をもスキャナ画像に付加してメイン画面５１に表示することも可能である。このステップＳ３は、この発明における抽出結果表示工程に相当する。
【００６８】
図８（ａ）〜図８（ｄ）では、抽出結果（流路領域７１）は、スキャナ画像上の流路を囲む囲み領域、およびスキャナ画像上の流路を色で塗りつぶす塗りつぶし領域で形成している。
【００６９】
その他に、図８（ａ）、図８（ｃ）では、成分領域７２を併せて表示しており、成分領域７２は、血液を遠心分離させて得られた各成分である血漿ＢＰ・血球ＢＣを囲む囲み領域である。特に、図８（ａ）では、成分領域７２は、囲み領域と、血漿ＢＰ・血球ＢＣを塗りつぶす塗りつぶし領域との組み合わせである。囲み領域により血漿ＢＰ・血球ＢＣを別々に囲い表示し、塗りつぶし領域により血漿ＢＰ・血球ＢＣを別々に塗りつぶし表示する。
【００７０】
なお、気体・血漿や血漿・血球の境界位置を検出した後で、円板２４（図１や図３や図４を参照）のＵ字流路２６（図１や図４を参照）の流路の輪郭を検出することで、先に成分領域７２を抽出して、その後で流路領域７１を抽出している。もちろん、円板２４のＵ字流路２６の流路における輪郭を検出した後で、気体・血漿や血漿・血球の境界位置を検出することで、先に流路領域７１を抽出して、その後で成分領域７２を抽出してもよい。流路領域７１を抽出した後で成分領域７２を抽出すれば、流路領域７１を、図８（ｂ）のように正しく検出しているのか、後述する図８（ｄ）のように誤検出しているのかを容易に確認することができる。
【００７１】
また、流路領域を誤検出している場合には、気体・血漿や血漿・血球の境界位置を検出する前に、後述するステップＳ４で流路領域を調整して修正しておけば、血漿領域と血球領域とをより一層正確に検出し易くなる。
【００７２】
上述したように、表面の傷や埃やゴミなどがスキャナ画像に写り込んだことにより、図８（ｃ）に示すように、抽出された成分領域７２が実際の気体・血漿や血漿・血球の境界位置に対してずれて誤検出されたとしても、誤検出が実際に生じたことを判別することができる。同様に、フラットヘッドスキャナで撮像する際に傾いた結果、図８（ｄ）に示すように、抽出された流路領域７１が実際の流路に対してずれて誤検出されたとしても、誤検出が実際に生じたことを判別することができる。
【００７３】
（ステップＳ４）調整
ステップＳ３で誤検出があった場合でも、このステップＳ４のように調整するのがより一層好ましい。具体的には、スキャナ画像、抽出結果とした流路領域７１のいずれか少なくとも一方を表示画面上で移動させて調整、あるいは抽出結果とした流路領域７１の大きさを表示画面上で調整する。入力部３９（図５を参照）により調整する。図６に示す出力モニタ５０から、各々の抽出結果とした流路領域７１（その他に成分領域７２）をグループ化して、グループ化された抽出結果をドラッグしてスキャナ画像の成分や流路に一致するように表示画面上で移動させて調整したり、各々の抽出結果（流路領域、成分領域）をグループ化させずに、個々に抽出結果（流路領域、成分領域）をドラッグしてスキャナ画像の成分や流路に一致するように表示画面上で移動させて調整したり、あるいは囲み領域の囲み部分にポインタを合わせて抽出結果（流路領域、成分領域）の大きさを調整する。もちろん、スキャナ画像の方を表示画面上で移動させて調整してもよいし、両方を表示画面上で移動させて調整してもよい。また、入力部３９を出力モニタ５０のタッチパネルで構成し、出力モニタ５０のタッチパネルにおいて調整の対象となるスキャナ画像あるいは抽出結果（流路領域、成分領域）を直接に指で触れることにより、調整してもよい。このステップＳ４は、この発明における画像・抽出結果調整工程に相当する。
【００７４】
（ステップＴ２）画像表示
一方、ステップＴ１で読み込まれたＩＰ画像も出力モニタ５０（図６を参照）の各画面に表示する。その際に、ＩＰ画像を縮小処理して、縮小処理後のＩＰ画像を、図６に示す縮小画面５２に表示した後に、図６に示すメイン画面に拡大表示してもよい。上述のステップＳ２〜Ｓ４，Ｔ２の順番についても特に限定されず、ステップＴ２を先に行ってもよいし、ステップＳ２〜Ｓ４を先に行ってもよいし、ステップＳ２〜Ｓ４，Ｔ２を同時並行に行ってもよい。
【００７５】
（ステップＵ１）重畳処理
コントローラ３８（図５を参照）は、ステップＳ４で調整されたスキャナ画像、ステップＴ２で表示されたＩＰ画像を重ね合わせて重畳処理する。
【００７６】
（ステップＵ２）重畳表示
重畳処理後の画像（図９では「重ね合わせ画像」で表記）を、出力モニタ５０（図６を参照）の各画面に表示する。その際に、重畳処理後の画像を縮小処理して、重畳処理後で縮小処理後の画像を、図６に示す縮小画面５４に表示した後に、図６に示すメイン画面に拡大表示してもよい。
【００７７】
本実施例に係る測定システムに用いられる表示装置３５によれば、測定対象に対する撮像によって得られた画像（本実施例ではスキャナ画像）を表示し、当該画像（スキャナ画像）に対してアルゴリズムで抽出された抽出結果として、測定対象の液体（本実施例では血液）を収容するために設けられた容器（本実施例では円板２４）の流路（本実施例ではＵ字流路２６）に関する流路領域７１を当該画像（スキャナ画像）に付加して表示し、流路領域７１を、画像（スキャナ画像）上の流路（Ｕ字流路２６）を囲む囲み領域および画像（スキャナ画像）上の流路（Ｕ字流路２６）を色で塗りつぶす塗りつぶし領域により形成して、囲み領域により流路を囲い表示するとともに、塗りつぶし領域により流路を塗りつぶし表示する抽出結果表示手段（本実施例ではメイン画面５１）を備えることで、実際の撮像によって得られた画像（スキャナ画像）に、アルゴリズムで抽出された抽出結果として囲み領域および塗りつぶし領域により形成された流路領域７１を付加して表示することにより、抽出結果とした流路領域７１が、実際の撮像によって得られた画像（スキャナ画像）の各領域に埃やゴミや傷等の理由により一致せずに誤検出されたとしても、少なくとも誤検出が有ったことを囲み領域および塗りつぶし領域により容易に判別することができる。また、抽出結果とした流路領域７１が、実際の撮像によって得られた画像（スキャナ画像）の各領域に一致する場合には、誤検出が無かったことを囲み領域および塗りつぶし領域により容易に判別することができる。その結果、アルゴリズムで抽出された抽出結果とした流路領域７１（囲み領域および塗りつぶし領域）に基づいて誤検出の有無を容易に判別することができる。
【００７８】
上述したように塗りつぶす色については、有色に限定されず、画像の画素値に応じた色（例えば透過色、半透過色）で塗りつぶすことも包含されることに留意されたい。
【００７９】
また、本実施例に係る表示方法および表示プログラム３７Ａによれば、ステップＳ３で、測定対象に対する撮像によって得られた画像（本実施例ではスキャナ画像）を表示し、当該画像（スキャナ画像）に対してアルゴリズムで抽出された抽出結果として、測定対象の液体（本実施例では血液）を収容するために設けられた容器（本実施例では円板２４）の流路（本実施例ではＵ字流路２６）に関する流路領域７１を当該画像（スキャナ画像）に付加して表示し、流路領域７１を、画像（スキャナ画像）上の流路（Ｕ字流路２６）を囲む囲み領域および画像（スキャナ画像）上の流路（Ｕ字流路２６）を色で塗りつぶす塗りつぶし領域により形成して、囲み領域により流路を囲い表示するとともに、塗りつぶし領域により流路を塗りつぶし表示することで、抽出結果とした流路領域７１が、実際の撮像によって得られた画像（スキャナ画像）の各領域に一致あるいは不一致なのかを囲み領域および塗りつぶし領域により容易に判別することができる。その結果、アルゴリズムで抽出された抽出結果（囲み領域および塗りつぶし領域）に基づいて誤検出の有無を容易に判別することができる。
【００８０】
本実施例に係る表示装置３５において、画像（本実施例ではスキャナ画像）、抽出結果とした流路領域７１のいずれか少なくとも一方を表示画面上で移動させて調整、あるいは抽出結果とした流路領域７１の大きさを表示画面上で調整する画像・抽出結果調整手段（実施例では入力部３９）を備えるのが好ましい。
【００８１】
また、本実施例に係る表示方法において、画像（本実施例ではスキャナ画像）、抽出結果とした流路領域７１のいずれか少なくとも一方を表示画面上で移動させて調整、あるいは抽出結果とした流路領域７１の大きさを表示画面上で調整するステップＳ４を備えるのが好ましい。表示画面上で調整することで、誤検出があった抽出結果とした流路領域７１を画像（スキャナ画像）に対して相対的に一致させることができ、アルゴリズムで抽出された抽出結果とした流路領域７１を手動で調整して、調整された抽出結果とした流路領域７１により画像（スキャナ画像）の各領域の表示を強調することができる。
【００８２】
本実施例では、抽出結果表示手段（本実施例ではメイン画面５１）は、画像（本実施例ではスキャナ画像）上で、測定対象の液体（本実施例では血液）を遠心分離させて得られた各成分（本実施例では血漿ＢＰ・血球ＢＣ）に対して、抽出結果として成分領域７２（図８（ａ）、図８（ｃ）を参照）を付加して表示するのが好ましい。画像（スキャナ画像）上の各成分（血漿ＢＰ・血球ＢＣ）に、アルゴリズムで抽出された成分領域７２を付加して表示することで、実際の画像（スキャナ画像）上の各成分（血漿ＢＰ・血球ＢＣ）とアルゴリズムで抽出された成分領域７２との一致あるいは不一致を容易に判別することができる。
【００８３】
成分領域７２の一例（前者の一例）は、図８（ａ）に示すように、画像上の各成分（本実施例では血漿ＢＰ・血球ＢＣ）を囲む囲み領域であって、抽出結果表示手段（本実施例ではメイン画面５１）は、当該囲み領域により各成分（血漿ＢＰ・血球ＢＣ）を別々に囲い表示する。あるいは、成分領域７２の他の一例（後者の一例）は、画像上の各成分（血漿ＢＰ・血球ＢＣ）を色で塗りつぶす塗りつぶし領域であって、抽出結果表示手段（メイン画面５１）は、当該塗りつぶし領域により各成分（血漿ＢＰ・血球ＢＣ）を別々に塗りつぶし表示する。流路領域７１でも述べたように、塗りつぶす色については有色に限定されない。また、図８（ａ）に示すように、前者の一例と後者の一例とを組み合わせて、囲み領域により各成分（血漿ＢＰ・血球ＢＣ）を別々に囲い表示し、内側の部分については塗りつぶし領域により各成分（血漿ＢＰ・血球ＢＣ）を別々に塗りつぶし表示してもよい。
【００８４】
この発明は、上記実施形態に限られることはなく、下記のように変形実施することができる。
【００８５】
（１）上述した実施例では、測定対象の液体として血液を例に採って説明したが、測定対象の液体であれば、血液に限定されずに、放射性物質や発光物質や蛍光剤が含まれた液体や、分析装置に用いられる混合液などであってもよい。また、測定対象の液体は、遠心分離の対象となる液体でなくともよい。
【００８６】
（２）上述した実施例では、測定情報画像は、イメージングプレートＩＰから取得された放射線（本実施例ではβ＋線）の測定情報を有したＩＰ画像であったが、測定対象の液体中に含まれている発光あるいは蛍光物質から発生した光あるいは測定対象の液体中に含まれている放射線の測定情報を有した測定情報画像であれば、例えば光（フォトン：光子）や放射線を直接的に計数することで取得された測定情報画像などのように、必ずしもＩＰ画像に限定されない。
【００８７】
（３）上述した実施例では、形態情報画像は、撮像部３４のフラットヘッドスキャナから取得されたスキャナ画像であったが、測定対象の液体の形態情報を有した形態情報画像であれば、例えば放射線照射手段および放射線検出手段で構成される放射線撮像手段で取得された形態情報画像などのように、必ずしもスキャナ画像に限定されない。
【００８８】
（４）上述した実施例では、抽出結果とした流路領域を付加して表示する対象の画像は、測定対象の液体の形態情報を有した形態情報画像（実施例ではスキャナ画像）であったが、これに限定されない。例えば、光あるいは放射線の測定情報を有した測定情報画像（実施例ではＩＰ画像）であってもよい。
【００８９】
（５）上述した実施例では、抽出結果として流路領域を出力するためのアルゴリズムは輪郭強調処理であったが、通常において用いられるアルゴリズムであれば、輪郭強調処理に限定されない。
【００９０】
（６）上述した実施例では、画像（実施例ではスキャナ画像）、抽出結果とした流路領域のいずれか少なくとも一方を表示画面上で移動させて調整、あるいは抽出結果とした流路領域の大きさを表示画面上で調整したが、画像と抽出結果とした流路領域との位置が相対的に一致している場合には、必ずしも調整する必要はない。
【００９１】
（７）上述した実施例では、容器は遠心分離を行う円板であったが、測定対象の液体が、遠心分離の対象となる液体でない場合には、液体を収容する容器であれば、円板に限定されない。方形の板や多角形の板などであってもよい。
【００９２】
（８）上述した実施例では、円板２４の径方向に沿って溝加工を放射状に施すことで、径方向に形成されたＵ字流路２６を複数に設けたが、必ずしも放射状に配設する必要はない。例えば、互いに平行に配設してもよい。
【００９３】
（９）上述した変形例（１）や変形例（７）のように遠心分離を行わない場合には、抽出結果として流路領域のみであってもよい。その場合には、塗りつぶす色については、分離しない単一成分の全領域（流路領域）を単色で表示してもよい。
【００９４】
（１０）上述した実施例では、成分は２つの成分（実施例では血漿・血球）であって、各成分を別々に塗りつぶすことで色分け表示したが、３つ以上の各成分の場合には、３つ以上の各成分を別々に塗りつぶしてもよい。また、２つの成分であっても、気体の箇所についても塗りつぶしてもよい。また、塗りつぶさずに囲い領域のみであってもよい。
【００９５】
（１１）上述した実施例では、容器（実施例では円板２４）を固定して位置決めを行いつつ支持する固定治具６１を備えたが、必ずしも固定冶具６１を備える必要はない。例えば、図４に示すように窪みを円板２４自体に設ける、あるいは切り欠きや突起部を円板２４自体に設けることで、その窪みや切り欠きや突起部などを基準として重畳の対象となる画像の向きを揃えてもよい。また、円板２４の所定の箇所に光や放射線の透過性の異なる部材をマーカとして貼り付けて、撮像された画像でマーカ部分を基準として向きを揃えて重畳処理を行ってもよい。
【００９６】
（１２）上述した実施例では、測定システムにおいて、採血装置１０による自動採血を例に採って説明したが、液体の採取方法は自動的な液体採取装置に限定されない。液体は円板２４のＵ字流路２６に作業者の手技で滴下する方法でもよい。
【符号の説明】
【００９７】
２４  …  円板
２６  …  Ｕ字流路
３５  …  表示装置
３７Ａ  …  表示プログラム
３８  …  コントローラ
３９  …  入力部
５１  …  メイン画面
７１  …  流路領域
７２  …  成分領域
ＢＰ  …  血漿
ＢＣ  …  血球
【図１】
2013124983.tif 000003
【図２】
2013124983.tif 000004
【図３】
2013124983.tif 000005
【図４】
2013124983.tif 000006
【図５】
2013124983.tif 000007
【図６】
2013124983.tif 000008
【図７】
2013124983.tif 000009
【図８】
2013124983.tif 000010
【図９】
2013124983.tif 000011
【図１０】
2013124983.tif 000012